(57)【特許請求の範囲】
【請求項１】
玉石、割石等の中込材を充填した鋼製枠を縦横に連設することによって構成され、上部に水通し部が形成された鋼製組枠において、
前記水通し部に流木止めを設け、前記流木止めは、前記水通し部の底部を構成する前記鋼製枠の縦方向の骨組みを上方に延長することによって、前記鋼製枠と一体的に構成されることを特徴とする流木止め付き鋼製組枠。
【請求項２】
延長した前記縦方向の骨組みは、補強材によって補強されていることを特徴とする、請求項１記載の鋼製組枠。
【請求項３】
前記流木止めの上流側には、緩衝材が取り付けられていることを特徴とする、請求項１または２に記載の鋼製組枠。
【請求項４】
前記流木止め高さは、前記水通し部の高さより低いことを特徴とする、請求項１から３のうちの何れか１つに記載の鋼製組枠。
【発明の詳細な説明】
【０００１】
【発明の属する技術分野】
この発明は、鋼製組枠、特に、水通し部に流木を捕捉するための流木止めが設けられた鋼製組枠に関するものである。
【０００２】
【従来の技術】
不透過型鋼製砂防ダムの１つに鋼製組枠がある。図９に示すように、鋼製組枠は、玉石、割石等の中込材２を充填した鋼製枠１を縦横に連設したものから構成されている。
【０００３】
このような鋼製組枠は、部材強度が大きいので、木材やコンクリートに比べて大型化しやすく、透水性に富み、しかも、組立、中詰め作業は、大型機械を要せず、人力中心で行なうことが可能であるといった利点を有している。
【０００４】
上述したような利点を有する鋼製組枠は、地滑り地や地盤変動のある地域、湧水の多い個所、災害の応急工事、あるいは、大型施工機械が進入できない個所等の構築に適している。
【０００５】
鋼製組枠の上部には、水通し部３が形成されていて、ここから洪水時の水が下流側に通るようになっている。
【０００６】
しかしながら、上述した従来鋼製組枠は、次のような問題点を有していた。即ち、上述したように、従来鋼製組枠においては、洪水時の水は水通し部３から下流に流れるが、そのとき多量の流木も一緒に流れてしまい、多大な被害を与えていた。
【０００７】
そこで、従来は、鋼製組枠の下流に副ダムを別に構築し、この副ダムで流木を捕捉していた。
【０００８】
【発明が解決しようとする課題】
しかしながら、鋼製組枠とは別に副ダムを構築する必要があるので、その分、構築費用が増加すると共に、ダム工事全体の工期が延びるといった問題があった。しかも、場合によっては、構築条件上、どうしても副ダムを構築できないことがあった。
【０００９】
従って、この発明の目的は、鋼製組枠と一体的に流木止めを設けることによって、従来のように副ダムを構築する必要がなく、従って、上述した副ダムを構築することによってもたらされる種々の問題を全て解決することができる鋼製組枠を提供することにある。
【００１０】
【課題を解決するための手段】
請求項１記載の発明は、玉石、割石等の中込材を充填した鋼製枠を縦横に連設することによって構成され、上部に水通し部が形成された鋼製組枠において、前記水通し部に流木止めを設け、前記流木止めは、前記水通し部の底部を構成する前記鋼製枠の縦方向の骨組みを上方に延長することによって、前記鋼製枠と一体的に構成されることに特徴を有するものである。
【００１１】
請求項２記載の発明は、請求項１記載の発明において、延長した前記縦方向の骨組みは、補強材によって補強されていることに特徴を有するものである。
【００１２】
請求項３記載の発明は、請求項１または２に記載の発明において、前記流木止めの上流側には、緩衝材が取り付けられていることに特徴を有するものである。
【００１３】
請求項４記載の発明は、請求項１から３の何れか１つに記載の発明において、前記流木止め高さは、前記水通し部の高さより低いことに特徴を有するものである。
【００１７】
【発明の実施の形態】
次に、この発明の鋼製組枠の一実施態様を、図面を参照しながら説明する。
【００１８】
図１は、この発明の鋼製組枠の一実施態様を示す概略斜視図、図２は、図１のＡ方向視図、図３は、この発明の鋼製組枠の更に別の実施態様を示す概略斜視図、図４は、この発明の鋼製組枠の別の実施態様を示す部分側面図、図５は、この発明の鋼製組枠の更に別の実施態様を示す部分側面図、図６は、この発明の鋼製組枠の更に別の実施態様を示す概略斜視図である。
【００１９】
図１から図６に示すように、この発明の鋼製組枠は、玉石、割石等の中込材１を充填した鋼製枠２を縦横に連設することによって構成され、上部に水通し部３が形成された鋼製組枠において、水通し部３に流木止め４を設けたものである。
【００２０】
図１および図２に示すように、流木止め４は、水通し部３の底部を構成する鋼製枠２Ａの下流側および上流側の縦方向の骨組み５Ａ、５Ｂを上方に延長し、延長した下流側および上流側の縦方向の骨組み５Ａ、５Ｂに、水平梁材６および筋交い７からなる補強材８を固定したものからなっている。なお、骨組み５Ａ、５Ｂに十分な強度がある場合には、補強材８は設けなくても良く、逆に、水平梁材６および筋交い７では強度が不足する場合には、更に、別の補強材を設けることも可能である。
【００２１】
なお、流木止め４の高さは、水通し部３の高さより低くする（図１中ｌで示す）。これは、以下の理由による。
【００２２】
流木止め４の高さが水通し部３の高さと同じであると、流木によって水通し部３が閉塞された場合、ダムを乗り越えて流れる流水の通り道が一定しない。このように流水の通り道が一定しないと、流水の落下エネルギーによって生じる洗掘個所が定まらず、副ダムの構築等の流水による洗掘対策を講じる必要がある。しかし、流木止め４の高さを水通し部３の高さより低くしておけば、流木によって水通し部３が完全に閉塞されることがなくなり、流水は、水通し部３の上部から流れる。このように流水の通り道が一定するので、流水落下部分を補強する等、洗掘対策が簡単で済む。
【００２３】
図３に示すように、上流側の骨組み５Ｂに水通し部３を横断する水平材１０を取り付けても良い。この場合、水平材１０によって流木止め４が補強されるので、補強材８を軽微にできる。
【００２４】
図４に示すように、流木止め４の上流側の骨組み５Ｂの上流側に鋼管等からなる緩衝材９を取り付ければ、流木止め効果以外に、流木止め４に流木が衝突することによる流木止め４の損傷を軽減することができる。
【００２５】
図５に示すように、流木止め４は、水通し部３の底部を構成する鋼製枠２Ａの下流側および上流側の縦方向の骨組み５Ａ、５Ｂを上方に若干延長し、延長した下流側および上流側の縦方向の骨組み５Ａ、５Ｂに鋼管等のコ字形状流木止め部材１１を着脱自在に嵌め込むことによって構成しても良い。流木止め部材１１内にコンクリートを充填すれば、流木止め４の補強を更に図ることができる。なお、流木止め部材１１を着脱自在に骨組み５Ａ、５Ｂに取り付けることによって、損傷した流木止め部材１１の交換が容易に行なえる。
【００２６】
図示しないが、縦方向の骨組み５Ａおよび５Ｂのうちの少なくとも１つを上方に延長し、延長した骨組みに鋼管等からなる流木止め部材を着脱自在に嵌め込んでも良い。
【００２７】
図６および図７に示すように、流木止め４は、水通し部３の上流側を横断する水平ロープ１２とこの水平ロープ１２の中央部と鋼製枠２Ａとの間に張られた垂直ロープ１３とによって構成しても良い。
【００２８】
図８に示すように、水平ロープ１２に代えて水平丸鋼１４を用いても良く、垂直ロープ１３に代えて垂直丸鋼１５を用いても良い。また、チェーンを用いても良い。
【００２９】
上述した何れの流木止め４によっても、洪水時の流木を確実に捕捉することができる。従って、従来のように、流木止めを目的とした副ダムを別に構築する必要がない。
【００３０】
【発明の効果】
以上説明したように、この発明によれば、玉石、割石等の中込材を充填した鋼製枠を縦横に連設することによって構成され、上部に水通し部が形成された鋼製組枠において、前記水通し部に流木止めを設けることによって、従来のように流木止めを目的とした副ダムを構築する必要がなく、従って、副ダムを構築することによるダム工事の工期延長の問題が生じず、しかも、副ダムを構築することができない場所においても鋼製組枠を構築することができるといった有用な効果がもたらされる。
【図面の簡単な説明】
【図１】この発明の鋼製組枠の一実施態様を示す概略斜視図である。
【図２】図１のＡ方向視図である。
【図３】この発明の鋼製組枠の更に別の実施態様を示す概略斜視図である。
【図４】この発明の鋼製組枠の別の実施態様を示す部分側面図である。
【図５】この発明の鋼製組枠の更に別の実施態様を示す部分側面図である。
【図６】この発明の鋼製組枠の更に別の実施態様を示す概略斜視図である。
【図７】水平ロープと垂直ロープとの交差部分を示す斜視図である。
【図８】水平丸鋼と垂直丸鋼との交差部分を示す斜視図である。
【図９】従来鋼製組枠を示す概略斜視図である。
【符号の説明】
１：鋼製枠
２：中込め材
３：水通し部
４：流木止め
５：縦方向の骨組
５：上部スリーブ管
５Ａ：下流側骨組
５Ｂ：上流側骨組
６：水平梁
７：筋交い
８：補強材
９：緩衝材
１０：水平材
１１：流木止め部材
１２：水平ロープ
１３：垂直ロープ
１４：水平丸鋼材
１５：垂直丸鋼材
【図１】
0004108894.tif 000002
【図２】
0004108894.tif 000003
【図３】
0004108894.tif 000004
【図４】
0004108894.tif 000005
【図５】
0004108894.tif 000006
【図６】
0004108894.tif 000007
【図７】
0004108894.tif 000008
【図８】
0004108894.tif 000009
【図９】
0004108894.tif 000010